(57)【要約】【課題】クリップ部材で挟持した筆記具が衣服やカバン等が容易に外れないようにするとともに、繰り返しの使用や衝撃等によってクリップ部材が破損し難く、比較的、厚手の物に挟持できる、反射材を装着したクリップ部材を有する筆記具を提供する。【解決手段】筆記体の筆記先端部を軸筒先端開口部から出没可能なノック機構を具備したノック式筆記具において、前記軸筒後端部に、クリップ部材と軸筒間に配設した弾性体によって、常時、クリップ部材の先端部の内壁を軸筒の外壁面に圧接し、クリップ部材の後端部を押圧することにより、クリップ部材と軸筒との連結部を支点とし、クリップ部材の先端内壁部を軸筒の外壁面から離間可能に配設したクリップ部材を付設するとともに、該クリップ部材に直接又は受部材を介して付設物を装着する。【選択図】          図１
2007210215.tif 000002
【特許請求の範囲】
【請求項１】
軸筒内に配設したコイルスプリングより、筆記体を軸筒後端側に付勢して配設し、軸筒後端より外方に突出して配設したノック部を、軸筒先端開口部方向に押圧することによって、前記筆記体の筆記先端部を軸筒先端開口部から出没可能なノック機構を具備したノック式筆記具において、前記軸筒後端部に、クリップ部材と軸筒間に配設した弾性体によって、常時、クリップ部材の先端部の内壁を軸筒の外壁面に圧接し、クリップ部材の後端部を押圧することにより、クリップ部材と軸筒との連結部を支点とし、クリップ部材の先端内壁部を軸筒の外壁面から離間可能に配設したクリップ部材を付設するとともに、該クリップ部材に直接又は受部材を介して付設物を装着したことを特徴とするクリップ部材を有する筆記具
【請求項２】
前記クリップ部材の操作荷重をＡ、ノック部の操作荷重をＢとした時、Ａ＞２Ｂの関係を満足するとともに、クリップ部材の操作荷重が１ｋｇｆ以下であることを特徴とする請求項１に記載のクリップ部材を有するノック式筆記具
【請求項３】
前記筆記体の筆記先端部を軸筒先端開口部から突出した状態で、前記クリップ部材の先端部をクリップ部材の先端内壁部を軸筒の外壁面から離間することによって、前記筆記体の筆記先端部を軸筒先端開口部から没入するセーフティ機構を具備したことを特徴とする請求項１または２に記載のクリップ部材を有するノック式筆記具
【請求項４】
前記クリップ部材又は受け部材に凹部を形成するとともに、該凹部の側壁が底壁から表面側に向かって拡径する傾斜状に形成したことを特徴とする請求項１ないし３の何れか１項に記載のクリップ部材を有するノック式筆記具
【発明の詳細な説明】
【技術分野】
【０００１】
本発明は、クリップ部材に直接又は受部材を介して付設物を装着してなるノック式筆記具に関する。
【背景技術】
【０００２】
従来から、クリップ部材を有する筆記具において、特開平１０−２４７０６０号「多目的フレーム及びフレーム付き筆記具」や実開昭５７−１３２８８号「筆記具装着物の装着構造」等に、クリップ部材に表示台やシール部材を装着することが開示されている。
【特許文献１】「特開平１０−２４７０６０号公報」
【特許文献２】「実開昭５７−１３２８８号公報」
【発明の開示】
【発明が解決しようとする課題】
【０００３】
ところで、夜間の交通事故防止のため、カバン、衣服や傘等にシール状の反射材を装着することはよく知られている。
【０００４】
しかしながら、反射材を装着するには、安全性を考慮して、クリップ部材が衣服やカバン等が容易に外れないようにするとともに、繰り返しの使用や衝撃等によってクリップ部材が破損しないようにする必要がある。また、衣服のみならず、カバン等に挟持することを考慮して、比較的、厚手の物に挟持できるようにする必要がある。
【０００５】
本発明の目的は、クリップ部材が、挟持した筆記具が衣服やカバン等が容易に外れないようにするとともに、繰り返しの使用や衝撃等によってクリップ部材が破損し難く、比較的、厚手の物に挟持できる、付設物を装着したクリップ部材を有するノック式筆記具を提供することである。
【課題を解決するための手段】
【０００６】
本発明は、軸筒内に配設したコイルスプリングより、筆記体を軸筒後端側に付勢して配設し、軸筒後端より外方に突出して配設したノック部を、軸筒先端開口部方向に押圧することによって、前記筆記体の筆記先端部を軸筒先端開口部から出没可能なノック機構を具備したノック式筆記具において、前記軸筒後端部に、クリップ部材と軸筒間に配設した弾性体によって、常時、クリップ部材の先端部の内壁を軸筒の外壁面に圧接し、クリップ部材の後端部を押圧することにより、クリップ部材と軸筒との連結部を支点とし、クリップ部材の先端内壁部を軸筒の外壁面から離間可能に配設したクリップ部材を付設するとともに、該クリップ部材に直接又は受部材を介して付設物を装着したことを特徴とする。
【０００７】
また、前記筆記具がノック式筆記具であって、クリップ部材の操作荷重をＡ、ノック操作荷重をＢとした時、Ａ＞２Ｂの関係を満足するとともに、前記クリップ部材の操作荷重が１ｋｇｆ以下となることを特徴とする。
【０００８】
また、前記筆記体の筆記先端部を軸筒先端開口部から突出した状態で、前記クリップ部材の先端部をクリップ部材の先端内壁部を軸筒の外壁面から離間することによって、前記筆記体の筆記先端部を軸筒先端開口部から没入するセーフティ機構を具備したことを特徴とする。
【０００９】
また、前記クリップ部材又は受け部材に凹部を形成するとともに、該凹部の側壁が底壁から表面側に向かって拡径する傾斜状に形成したことを特徴とする。
【００１０】
尚、本発明の付設物とは、鏡、名札、反射材などの筆記具のクリップに直接又は受部材を介して装着する物品ことであり、反射材とは、光の入射角度によらず、光源に向かってそのまま反射する復帰反射する性質をもつ材料のことである。反射材のタイプとしては入射角の大きい場合にも反射輝度の高いカラービーズタイプ、高い反射性能を持つプリズムタイプ等を適宜選択して使用することができる。
【００１１】
本発明において、クリップ部材の操作荷重とは、クリップ部材の後端部を軸筒側に向かって押圧し、クリップ部材の先端部の内壁が軸筒の外壁面から離間するのに必要な押圧荷重と、クリップと基体との連結部との摩擦力とを総合した荷重のことである。軸筒とクリップ部材間に配設した弾性体を縮める荷重のことである。このクリップ部材の操作荷重は、クリップ部材の形状、特に先端部の内壁形状によって異なるが、クリップ部材と軸筒間に被挟持を挟む挟持力と略同等となる。また、ノック部の操作荷重とは、ノック部を操作してペン先部が突出状態を維持させるのに必要な押圧荷重で、ペン先部を備えたレフィールを軸筒の後端方向に付勢しているスプリングを縮める荷重と、ノック操作時のノック機構部に生じる部品間の摩擦力とを総合した荷重である。
【００１２】
クリップ部材及びノック部の操作荷重の測定は、プッシュプルスケールを用いて行い、計測軸端に先端が平坦なアタッチメントを取付けてノック部の後端面を軸筒先端方向に押圧、またはクリップ部材の後端部を軸筒方向に押圧し、ペン先部が突出状態を維持させるのに必要な荷重をノック部の操作荷重、クリップ部材の先端部の内壁が軸筒の外壁面から離間するのに必要な押圧荷重をクリップ部材の操作荷重とする。
【発明の効果】
【００１３】
クリップ部材が、挟持した筆記具が衣服やカバン等が容易に外れないようにするとともに、繰り返しの使用や衝撃等によってクリップ部材が破損し難く、比較的、厚手の物に挟持できる、付設物を装着したクリップ部材を有する筆記具を提供することができた。
【発明を実施するための最良の形態】
【００１４】
次に図面を参照しながら、本発明のクリップ部材を有する筆記具の実施例を説明するが、本発明は以下の実施例に限定されるものではない。
【実施例１】
【００１５】
図１から図５に示すクリップ部材を有するノック式筆記具１は、前軸２と後軸３を螺合して軸筒本体を構成し、前軸２の後端に配設したコイルスプリング１２によって、インキ収容筒７の先端部にボールを回転自在に抱持したボールペンチップ８を装着した筆記体を後軸後端３ａ側に付勢して配設している。筆記体の後端部にはノック部４ａを一体に形成した摺動体４を、摺動体に形成した係合部４ｂを後軸３の窓部から外方に突出した状態で、且つノック部４ａを後軸後端３ａ開口部から外方に突出した状態にしてに摺動自在に配設してある。また、前軸２の把持部にはグリップ部材９を装着してある。
【００１６】
後軸３の後端部には、後軸３の外壁面に一体に形成した支柱３ｃに係合凸部３ｄを設け、クリップ部材５の両側壁に、係合凸部３ｄに対向する係合凹部５ｄを形成し、係合凸部３ｄと係合凹部５ｄを凹凸係合してクリップ部材５を付設してある。
【００１７】
クリップ部材５は、後軸３の後端部の外壁に設けたクリップ部材５側に向かって延びる突起部３ｂと、クリップ部材５の内壁に設けた後軸３側に向かって延びる突起部５ｃを覆うようにコイルスプリング６を配設することにより、クリップ部材５の先端内壁部５ａを、後軸３の外壁面側に常時弾発して付設してある。また、クリップ部材５の後端部５ｂを押圧（図１の矢印Ｆ方向）することにより、クリップ部材５と後軸３との連結部（３ｄ、５ｄ）を支点とし、クリップ部材５の先端内壁部５ａを後軸３の外壁面から離間可能にしてある。
【００１８】
コイルスプリング６によって、クリップ部材５の先端内壁部５ａを、後軸３の外壁面側に常時弾発して付設するとともに、クリップ部材５の後端部５ｂを押圧（図１の矢印Ｆ方向）することにより、クリップ部材５と後軸３との連結部（５ｄ、３ｄ）を支点とし、クリップ部材５の先端内壁部５ａを後軸３の外壁面から離間可能にすることによって、繰り返しの使用による耐久性が向上し、クリップ部材５の先端内壁部５ａと後軸３の外壁面との離間距離を大きくできるので比較的厚手の物に挟持可能となる。
【００１９】
また、クリップ部材５には、貫通穴５ｅを形成してあり、この貫通孔５ｅに受部材１０の突部１０ａを圧入装着して本発明のクリップ部材を有する筆記具１を得ている。また、受部材１０には凹部１０ｂを形成してあり、この凹部１０ｂの側壁１０ｃは、クリップ部材の表面側に向かって拡径する傾斜状とするとともに、凹部の底壁に付設物としてシート状の反射材１１を貼着してある。凹部１０ｂの側壁１０ｃを、底壁からクリップ部材の表面側に向かって拡径する傾斜状とすることによって、凹部の側壁を底壁に対して垂直に形成した場合に比べ、凹部１０ｂの底壁にシート状の反射材１１を貼着しやすくなる。
【００２０】
筆記体を使用する場合には、後軸後端３ａ部から突出したノック部４ａを前軸先端開口部２ａに押圧（図１の矢印Ｍ方向）すると、ノック部４ａと一体に形成した摺動体４が前軸先端開口部２ａ側に移動し、摺動体４に圧入装着されたインキ収容筒７が、摺動体４の移動に連動して前軸先端開口部２ａ側に移動する。さらに、摺動体４に形成した係合部４ｂがクリップ部材５の被係合部５ｆに係止して、筆記体の筆記先端部８を前軸先端開口部２ａから突出した状態を維持して、筆記体を使用することができる。
【００２１】
また、筆記体の筆記先端部８を前軸先端開口部２ａから突出した状態で、クリップ部材５の先端内壁部５ａと後軸３の外壁面が離間すると、係止していた摺動体４の係止部４ｂとクリップ部材５の被係合部５ｆとの係止が解除され、コイルスプリング１２の付勢力によって、摺動体４が後軸後端３ａ側に移動し、摺動体４に連動して筆記体も後軸後端３ａ側に移動して筆記体の筆記先端部８を軸筒本体内に没入させるセーフティ機構を具備してある。
【００２２】
本発明のクリップ部材を有する筆記具は、クリップ部材５に直接又は受部材１０を介して付設物１１を装着してあるので、衣服のポケットのみならず多目的で使用すること、特に筆記先端部８を上に向けた状態で、被挟持物にクリップ部材５を挟持することを考慮すると、セーフティ機構を具備し、筆記体の筆記先端部８が突出した状態のままでのクリップ部材５の使用を防止することが好ましい。
【００２３】
実施例１における筆記体の筆記先端部の突出させる時のノック部の操作荷重は１３０ｇｆであった。また、クリップ部材５の操作荷重は２８０ｇｆであった。
【００２４】
従来のノック式筆記具においては、ノック部の操作荷重は、操作性、すなわち容易に作動できる荷重として、１００〜２００ｇｆに設定されていることに着眼し、このノック部の操作荷重に比べてクリップ部材の操作荷重を高くすることにより、クリップ部材に手等が触れて知らぬ間にクリップ部材の先端部が拡開し、衣服やカバン等から筆記具が容易に外れないようにすることができる。具体的には、ノック部の操作荷重Ｂに比べてクリップ部材の操作荷重Ａを２倍以上（Ａ＞２Ｂ）とすることが好ましい。但し、クリップ部材の操作荷重が１ｋｇｆを超えるとクリップ部材の操作性が低下するので、クリップ部材の操作荷重は１ｋｇｆ以下とすることが好ましい。
【００２５】
本実施例では、便宜上、クリップ部材に付設した受部材を介して反射材を貼着してあるが、クリップ部材に反射材を直接貼着しても良い。また、クリップ部材や受部材に凹部を形成し、この凹部に、反射材が突出しないように貼着することによって、外力よって反射材が剥がれにくいので好ましい。
【００２６】
また、本実施例では、便宜上、クリップ部材の先端内壁部を、軸筒とクリップ部材間に配設したコイルスプリングからなる弾性体によって、軸筒外壁面側に常時弾発する構造としてあるが、弾性体としてＵ字状バネや板バネを用いてもよいが、繰り返しの使用による耐久性を考慮してコイルスプリングを用いることが最も好ましい。
【００２７】
また、クリップ部材や受部材の形状も特に限定されるものではないが、外部からの視認性を考慮して付設物の表示面積を３ｃｍ２以上とすることが好ましい。
【産業上の利用可能性】
【００２８】
反射材等の付設物を装着したクリップ部材を有するノック式筆記具として広く実施可能であり、クリップ部材の先端内壁部と軸筒の外壁面との離間距離を大きくできるので比較的厚手の物に挟持可能であり、容易に被係止物から外れないので、通勤や通学等の移動時に効果的である。
【図面の簡単な説明】
【００２９】
【図１】実施例１のクリップ部材を有する筆記具を示す縦断面図である。
【図２】図１における筆記先端部を突出した状態を示す縦断面図である。
【図３】図１におけるクリップの先端部を拡開した状態を示す縦断面図である。
【図４】図１における一部省略した要部拡大断面図である。
【図５】付設部材の拡大断面図である。
【符号の説明】
【００３０】
１  クリップ部材を有するノック式筆記具
２  前軸
２ａ  先端開口部
３  後軸
３ａ  後端
３ｂ  凸部
３ｃ  支柱
３ｄ  係合凸部
４  摺動体
４ａ  ノック部
５  クリップ
５ａ  先端内壁部
５ｂ  後端部
５ｃ  突起部
５ｄ  係合孔
５ｅ  貫通孔
６  コイルスプリング
７  インキ収容筒
８  筆記先端部
１０  受部材
１１  付設物
１２  コイルスプリング
【図１】
2007210215.tif 000003
【図２】
2007210215.tif 000004
【図３】
2007210215.tif 000005
【図４】
2007210215.tif 000006
【図５】
2007210215.tif 000007